(57)【要約】【課題】この発明は、簡易な構成で、且つ、釣糸ガイドの竿杆への堅牢にして強固な取付け配置を実現し得るようにすることにある。【解決手段】釣糸の挿通される釣糸挿通部１７２を有した釣糸ガイド１７の脚部１７１を、第１の竿杆１２（あるいは第２の竿杆１１）上に載置して、その脚部１７１の釣糸が挿通される釣糸挿通部１７２との連結部を露出した状態で、該脚部１７１を含む第１の竿杆１２（あるいは第２の竿杆１１）上に糸材１９を巻き付けて、この糸材１９の巻き付けていない脚部１７１の露出部位を含む第１の竿杆１２（あるいは第２の竿杆１１）の周壁上及び糸材１９の巻き付けられた少なくとも釣糸ガイド１７の脚部１７１と第１の竿杆１２（あるいは第２の竿杆１１）との間に生じる空隙に接着材２０を充填して接着固定するように構成した。【選択図】      図２
2006034228.tif 000002
【特許請求の範囲】
【請求項１】
竿杆に載置される脚部に釣糸の挿通される釣糸挿通部が立設される釣糸ガイドと、
この釣糸ガイドの前記脚部の前記釣糸挿通部との連結部を露出した状態で該脚部を含む前記竿杆上に被着される固定部材と、
前記釣糸ガイドの脚部の前記固定部材の被着されていない露出部位を含む前記竿杆の周壁上及び前記固定部材の被着された少なくとも前記釣糸ガイドの脚部と前記竿杆との間の空隙に充填される接着材と、
を具備することを特徴とする魚釣用釣竿。
【請求項２】
前記釣糸ガイドの脚部の前記固定部材の被着されない露出部位は、１ｍｍ〜３ｍｍであることを特徴とする請求項１記載の魚釣用釣竿。
【請求項３】
前記固定部材は、複数に分離して所定の間隙を有して前記脚部を含む竿杆上に被着され、さらに、前記間隙に前記接着材が充填されることを特徴とする請求項１又は２記載の魚釣用釣竿。
【請求項４】
前記固定部材は、糸材を巻き付けて、該糸材上に糸止め材が塗布されてなることを特徴とする請求項１乃至３のいずれか記載の魚釣用釣竿。
【請求項５】
前記糸止め材は、前記接着材より、硬化後の柔軟性が大きいことを特徴とする請求項４記載の魚釣用釣竿。
【発明の詳細な説明】
【技術分野】
【０００１】
この発明は、例えば渓流や湖での釣りを含む釣り全般に用いられる魚釣用釣竿に関する。
【背景技術】
【０００２】
従来より、渓流や湖での釣り等においては、いわゆるフライ竿と称する釣竿が用いられている。このような釣竿は、竿杆が、例えば継数が複数本継のものや、ワンピース形式のものが用いられ、その竿杆の外壁に複数の釣糸案内用の釣糸ガイドが所定の間隔に設けられる。この釣糸ガイドは、竿杆に載置される脚部に釣糸が挿通される釣糸案内用の釣糸挿通部が立設され、その脚が竿杆に載置されて糸材が巻き付けられて取付けられる。そして、この糸材上には、例えば糸止め材が塗布されて肉盛が形成される。
【０００３】
ところで、このような釣竿にあっては、その釣り形態として、所謂、キャスティング動作が、繰り返し行われることにより、その釣糸ガイドの脚部に繰り返し荷重が加わり、該脚部が竿杆の外壁から離脱してしまう虞を有する。
【０００４】
そこで、この種の魚釣用釣竿には、その竿杆に抜け防止用の突起部を、片脚タイプの釣糸ガイドの釣糸挿通部に対応して設け、この突起部で釣糸挿通部を係止させた状態で、脚を竿杆上に載置する。そして、この状態で、釣糸ガイドの脚部上全体に糸材を巻き付けて、この糸材上に糸止め材を塗布して取付けるように構成したものが提案されている（例えば、特許文献１参照。）。
【０００５】
また、脚部に屈曲性を有した折曲形状の突起部を形成し、この脚部の突起部を挟んだ両端部に糸材を巻き付けることで、その屈曲性により、糸材の糸崩れを防止するようにした魚釣用釣竿も提案されている（例えば、特許文献２参照）。
【特許文献１】特開２００１―９５４３３号公報
【特許文献２】特開２００１―１６１２２５号公報
【発明の開示】
【発明が解決しようとする課題】
【０００６】
しかしながら、上記特許文献１の魚釣用釣竿では、竿杆の所定の位置に突起部を設けなければならないため、その製作が煩雑であるという不都合を有する。
【０００７】
また、上記特許文献２の魚釣用釣竿では、糸材の糸崩れが防止されるものの釣糸ガイドに加わる荷重が、長期間に亘り繰り返されると、糸材に緩みが生じて、釣糸ガイドにガタが発生する虞を有する。
【０００８】
この発明は上記の事情に鑑みてなされたもので、簡易な構成で、且つ、釣糸ガイドの竿杆への堅牢にして強固な取付け配置を実現し得るようにした魚釣用釣竿を提供することを目的とする。
【課題を解決するための手段】
【０００９】
この発明は、竿杆に載置される脚部に釣糸の挿通される釣糸挿通部が立設される釣糸ガイドと、この釣糸ガイドの前記脚部の前記釣糸挿通部との連結部を露出した状態で該脚部を含む前記竿杆上に被着される固定部材と、前記釣糸ガイドの脚部の前記固定部材の被着されていない露出部位を含む前記竿杆の周壁上及び前記固定部材の被着された少なくとも前記釣糸ガイドの脚部と前記竿杆との間の空隙に充填される接着材とを備えて魚釣用釣竿を構成した。
【００１０】
上記構成によれば、釣糸ガイドは、脚部が固定部材で竿杆上に固定された状態で、その脚部の露出部位を含む竿杆の周壁上及び固定部材の被着された少なくとも前記釣糸ガイドの脚部と竿杆との間の空隙に充填される接着材により接着される。これにより、簡便にして容易な取付け作業を実現したうえで、その脚部が固定部材と接着材とにより竿杆上に強固に位置決め固定されて、釣糸ガイドの竿杆に対する堅牢な取付けが実現される。従って、キャスティング操作により、釣糸ガイドに対して繰り返し荷重が加わっても、長期間に亘る安定した機能を確保することが可能となる。
【発明の効果】
【００１１】
この発明によれば、簡易な構成で、且つ、釣糸ガイドの竿杆への堅牢にして強固な取付け配置を実現し得るようにした魚釣用釣竿を提供することができる。
【発明を実施するための最良の形態】
【００１２】
以下、この発明の実施の形態について、図面を参照して詳細に説明する。
【００１３】
図１は、この発明の一実施の形態に係る魚釣用釣竿の外観構成を示すもので、元竿杆１０には、例えば順に小径となる２番節及び１番節と称する第２及び第１の竿杆が継合されて連設される。
【００１４】
これら元竿杆１０、第２及び第１の竿杆１１，１２は、例えば炭素繊維等の強化繊維にエポキシ樹脂等の合成樹脂を含浸した繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した中空竿杆で形成される。なお、釣竿構造としては、並継ぎ式あるいは印籠継ぎ式等の継合形式や振り出し式を採用することが可能であると共に、その継構成としては、複数本継合のものや、所謂、ワンピースのものにおいて有効である。
【００１５】
上記元竿杆１０には、グリップ１３及びリール取付部１４が設けられ、このうちリール取付部１４には、リール１５が着脱自在に取付けられる。また、元竿杆１０には、先端部に例えばステンレス等の金属材料で形成される後述する両脚タイプの釣糸ガイド１６が設けられる。そして、第２の竿杆１１には、同様の両脚タイプの釣竿ガイド１６が、元竿杆１０の釣糸ガイド１６に対応して設けられると共に、例えばステンレス等の金属材料で形成される後述する片脚タイプの釣糸ガイド１７が２個、所定の間隔を有して設けられる。
【００１６】
また、上記第１の竿杆１２には、同様の釣糸ガイド１７が６個所定の間隔に設けられ、その先端部に例えばステンレス等の金属材料で形成される釣糸案内用トップガイド１８が設けられる。
【００１７】
ここで、上記片脚タイプの釣糸ガイド１７は、図２に示すように脚部１７１が第２の竿杆１１（あるいは第１の竿杆１２）形状に対応して設けられ、この脚部１７１の一端部には釣糸の挿通されるリング状の釣糸挿通部１７２が略直交状に立設される。そして、この釣糸ガイド１７は、その脚部１７１が竿杆、例えば第２の竿杆１１（あるいは第１の竿杆１２）に載置され、その脚部１７１と釣糸挿通部１７２との連結部に竿軸方向の長さ寸法が、例えば１ｍｍ〜３ｍｍの露出部位を形成した状態で（図３参照）、該脚部１７１を含む第２の竿杆１１（あるいは第１の竿杆１２）上に固定部材、例えば綿、絹、ナイロン、テトロン等の糸材１９が被着する如く巻き付けられる。
【００１８】
この釣糸ガイドの脚部の糸材が被着されない露出部を含む第２の竿杆１１（あるいは第１の竿杆１２）の周壁には、例えばエポキシ樹脂、ウレタン樹脂、アクリル樹脂、ゴム系等を、シンナー等の有機溶剤で２０％希釈した接着材２０が塗布される（図３参照）。すると、接着材２０は、所謂、毛細管現象により、少なくとも巻き付けられた糸材１９と脚部１７１との間に存在する空隙に侵入して充填され（図４参照）、釣糸ガイド１７の脚部１７１を第２の竿杆１１（あるいは第１の竿杆１２）の周壁に接着固定する。この際、接着材２０は、糸材１９の釣糸挿通部１７２側を第２の竿杆１１（あるいは第１の竿杆１２）の周壁との相互間を接着固定する。そして、この糸材１９上には、例えば必要に応じてエポキシ樹脂、ウレタン樹脂やプレポリマー、モノマー、光重合開始剤、添加剤等からなる紫外線硬化樹脂液の糸止め材２１が塗布される（図３参照）。
【００１９】
また、上記両脚タイプの釣糸ガイド１６は、図５に示すように釣糸の挿通される釣糸挿通部１６１が竿軸方向に略直交するように立設して設けられ、この釣糸挿通部１６１の両端部には、一対の脚部１６２，１６２が元竿杆１０（あるいは第２の竿杆１１）形状に対応して互いに逆方向に延出して設けられる。そして、この釣糸ガイド１６は、その一対の脚部１６２，１６２が元竿杆１０（あるいは第２の竿杆１１）の周壁に載置され、その一対の脚部１６２，１６２の釣糸挿通部１６１との連結部にそれぞれ竿軸方向の長さ寸法が、例えば１ｍｍ〜３ｍｍの露出部位を形成した状態で、該脚部１６２，１６２を含む元竿杆１０（あるいは第２の竿杆１１）上に、略同様に例えば綿、絹、ナイロン、テトロン等の糸材１９が被着する如く巻き付けられる。
【００２０】
この釣糸ガイド１６の脚部１６２，１６２の糸材１９が被着されない露出部位を含む元竿杆１０（あるいは第２の竿杆１１）の周壁には、同様に例えばエポキシ樹脂、ウレタン樹脂、アクリル樹脂、ゴム系等を、シンナー等の有機溶剤で２０％希釈した接着材２０が塗布される。すると、接着材２０は、上記片脚タイプの釣糸ガイド１７と同様に毛細管現象により、少なくとも巻き付けられた糸材１９と脚部１６２，１６２との間に存在する空隙に侵入して充填され、釣糸ガイド１６の脚部１６２，１６２を元竿杆１０（あるいは第２の竿杆１１）の周壁に接着固定する。
【００２１】
この際、接着材２０は、糸材１９の釣糸挿通部側を元竿杆１０（あるいは第２の竿杆１１）の周壁との相互間を接着固定する。そして、この糸材１９上には、例えば必要に応じてエポキシ樹脂、ウレタン樹脂やプレポリマー、モノマー、光重合開始剤、添加剤等からなる紫外線硬化樹脂液で、紫外線が照射されると硬化する糸止め材２１が塗布される。
【００２２】
上記構成により、両脚タイプの釣糸ガイド１６、片脚タイプの釣糸ガイド１７は、その各脚部１６２，１６２、１７１が接着材２０を介して元竿杆１０、第２の竿杆１１及び第１の竿杆１２に接着固定されると共に、糸材１９を介して各竿杆１０，１１，１２上に位置決め固定されて強固に取付け配置される。これにより、両脚タイプの釣糸ガイド１６、片脚タイプの釣糸ガイド１７は、例えばキャスティング操作が行われて繰り返し荷重が加わっても、長期間に亘り安定した配置構造が確保される。
【００２３】
このことは、例えば上記第２の竿杆１１及び第１の竿杆１２に取付けられる片脚タイプの釣糸ガイド１７を、その脚部１７１の長さを５ｍｍとしたＡ及びＢ、脚部１７１の長さ寸法を５．５ｍｍとしたＣ、６ｍｍとしたＤ及びＥ、８ｍｍとしたＦ〜Ｈを作成し、そのＡ〜Ｈタイプについて各脚部１７１の全長に亘って糸材１９を巻き付けて脚部１７１の露出部位を設けないで、その上に糸止め用の肉盛を施した第１の取付け構造、糸材１９を脚部１７１の全長に亘って巻き付けて、その上にエポキシ樹脂を１００％の有機溶剤で希釈した接着材２０を塗布し、その上に糸止め用肉盛を施した第２の取付け構造、脚部１７１と釣糸挿通部１７２との連結部に糸材１９を巻き付けていない露出部位を設けて、その露出部位よりエポキシ樹脂を２０％の有機溶剤で希釈した接着材２０を糸材１９と脚部１７１の間の空隙に充填し、該糸材１９上に糸止め用の肉盛を施した第３の取付け構造の３種類について、耐湿性に関し、例えば６０°Ｃ／９０％ＲＨ（湿度）雰囲気中に１６時間（Ｈ）放置した後、所謂、引き抜き試験を実施することで、各取付け構造における取付け強度を比較検討した。すると、第３の取付け構造においては、図６に示すように第１及び第２の取付け構造と比較すると、脚部１７１の長さ寸法が、Ａ〜Ｈの各タイプにおいて、第１及び第２の取付け構造に比して強度的に強固に接着固定できることが確認されている。
【００２４】
なお、上記両脚タイプの釣糸ガイド１６に関しても、同様の試験を行った場合には、上記片脚タイプの釣糸ガイド１７と略同様の効果が期待される。
【００２５】
このように、上記魚釣用釣竿は、釣糸の挿通される釣糸挿通部１６１（１７２）を有した釣糸ガイド１６（１７）の脚部１６２，１６２（１７１）を、元竿杆１０あるいは第２の竿杆１１（第２の竿杆１１あるいは第１の竿杆１２）上に載置して、その脚部１６２，１６２（１７１）の釣糸が挿通される釣糸挿通部１６１（１７２）との連結部を露出した状態で、該脚部１６２，１６２（１７１）を含む元竿杆１０あるいは第２の竿杆１１（第２の竿杆１１あるいは第１の竿杆１２）上に糸材１９を巻き付けて、この糸材１９の巻き付けていない脚部１６２，１６２（１７１）の露出部位を含む元竿杆１０あるいは第２の竿杆１１（第２の竿杆１１あるいは第１の竿杆１２）の周壁上及び糸材１９の巻き付けられた少なくとも釣糸ガイド１６（１７）の脚部１６２，１６２（１７１）と元竿杆１０あるいは第２の竿杆１１（第２の竿杆１１あるいは第１の竿杆１２）との間に生じる空隙に接着材２０を充填して接着固定するように構成した。
【００２６】
これによれば、釣糸ガイド１６（１７）は、その脚部１６２，１６２（１７１）が糸材１９で元竿杆１０あるいは第２の竿杆１１（第２の竿杆１１あるいは第１の竿杆１２）上に固定された状態で、その脚部１６２，１６２（１７１）の露出部位を含む元竿杆１０あるいは第２の竿杆１１（第２の竿杆１１あるいは第１の竿杆１２）の周壁上及び糸材１９の巻き付けられた少なくとも釣糸ガイド１６（１７）の脚部１６２，１６２（１７１）と元竿杆１０あるいは第２の竿杆１１（第２の竿杆１１あるいは第１の竿杆１２）との間の空隙に接着材２０を充填された状態で接着配置されることにより、その脚部１６２，１６２（１７１）が糸材１９と接着材２０とにより元竿杆１０あるいは第２の竿杆１１（第２の竿杆１１あるいは第１の竿杆１２）上に強固に位置決め固定されて、釣糸ガイド１６（１７）の元竿杆１０あるいは第２の竿杆１１（第２の竿杆１１あるいは第１の竿杆１２）に対する堅牢な取付けが実現される。
【００２７】
これにより、簡便にして容易な取付け作業を実現したうえで、例えばキャスティング操作により、釣糸ガイド１６（１７）に対して繰り返し荷重が加わっても、抜けたりすることが防止されて長期間に亘る安定した機能を確保することが可能となる。
【００２８】
また、この発明は、上記実施の形態に限ることなく、その他、例えば図７及び図８に示すように構成することも可能である。但し、これら図７及び図８においては、説明の便宜上、上記図１乃至図４と同一部分について、同一符号を付して、その詳細な説明を省略する。
【００２９】
図７は、糸材１９を上記片脚タイプの釣糸ガイド１７の脚部１７１に、その脚部１７１の釣糸挿通部１７２との連結部を露出させた状態で巻き付けると共に、その中間部に糸材１９の巻き付けられない間隙Ｌを設けて、この間隙Ｌにも上記接着材２０を充填する如く塗布するように構成したものである。これによると、接着材２０を脚部１７１と第１の竿杆１２（あるいは第２の竿杆１１）との間に、さらに効果的に充填することが可能となり、さらに強固な接着固定が可能となる。
【００３０】
また、図８は、片脚タイプの釣糸ガイド２２を、脚部２２１と釣糸の挿通される釣糸案内用のリング状の釣糸挿通部２２２を別体にしたタイプを組付けるように構成したものである。
【００３１】
即ち、上記脚部２２１は、リング状の枠体２２３の周壁に沿って延出して形成し、この枠体２２３内に別体に形成した釣糸挿通部２２２が一体的に取付けられる。そして、この釣糸ガイド２２においても、上述したように脚部２２１の釣糸挿通部２２２との連結部を露出した状態で、糸材１９を巻き付けて同様に接着材２０が充填されて第１の竿杆１２（あるいは第２の竿杆１１）に接着固定される。
【００３２】
さらに、上記図７及び図８においては、片脚タイプの釣糸ガイド１７，２２に適用した場合を代表して説明したが、これに限ることなく、その他、両脚タイプにおいても適用可能である。
【００３３】
また、上記各実施の形態では、脚部１６２（１７１，２２１）上に被着する固定部材として、糸材１９を用いて構成した場合で説明したが、これに限ることなく、その他、テープ、チューブ、繊維強化樹脂テープ等を用いて構成することも可能で、いずれの場合にも同様の効果を期待することができる。
【００３４】
さらに、上記各実施の形態においては、接着材２０を脚部１７１（１６２，２２１）の露出部位における竿杆の周壁の周方向に沿って塗布して脚部１７１（１６２，２２１）と糸材１９との空隙に充填するように構成した場合で説明したが、これに限ることなく、例えば接着材２０を、竿杆の周壁の周方向の全周に亘って塗布することなく、脚部１７１（１６２，２２１）と糸材１９との空隙に充填するように塗布することも可能で、少なくとも接着材２０を脚部１７１（１６２，２２１）と糸材１９との空隙に充填するように構成することで、略同様の効果が期待される。
【００３５】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３６】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３７】
【図１】この発明の一実施の形態に係る魚釣用釣竿の外観構成を示した平面図である。
【図２】図１の片脚タイプの釣糸ガイド部の取付け構造の一部を断面して示した一部断面図である。
【図３】図２の要部を拡大して示した断面図である。
【図４】図２の要部を竿軸方向と直交する方向で断面して示した断面図である。
【図５】図１の両脚タイプの釣糸ガイド部の取付け構造の一部を断面して示した一部断面図である。
【図６】図２の取付け構造の取付強度を説明するための比較例を示した図である。
【図７】この発明の他の実施の形態に係る魚釣用釣竿の要部を取り出して示した一部断面図である。
【図８】この発明の他の実施の形態に係る魚釣用釣竿の要部を取り出して示した一部断面図である
【符号の説明】
【００３８】
１０…元竿杆、１１…第２の竿杆、１２…第１の竿杆、１３…グリップ、１４…リール取付部、１５…リール、１６…両脚タイプの釣糸ガイド、１６１…釣糸挿通部、１６２…脚部、１７…片脚タイプの釣糸ガイド、１７１…脚部、１７２…釣糸挿通部、１８…トップガイド、１９…糸材、２０…接着材、２１…糸止め材、２２…片脚タイプの釣糸ガイド、２２１…脚部、２２２…釣糸挿通部、２２３…枠体。
【図１】
2006034228.tif 000003
【図２】
2006034228.tif 000004
【図３】
2006034228.tif 000005
【図４】
2006034228.tif 000006
【図５】
2006034228.tif 000007
【図６】
2006034228.tif 000008
【図７】
2006034228.tif 000009
【図８】
2006034228.tif 000010